(57)【要約】      （修正有）【課題】台所用電気器具のソケットが足りず、かつ電源線を追加することで安全上の問題になる欠点を克服して解決するために、ソケット付きの多機能電子レンジを提供する。【解決手段】本体と、前記本体に給電するように前記本体に接続される電源線２１と、を備える多機能電子レンジであり、前記多機能電子レンジは、他の電気器具に給電できるように前記本体に設けられる少なくとも１つのソケット３１をさらに備え、前記ソケットは、ワイヤを介して前記電源線に接続され、前記ソケットは、前記本体の作動素子と並列に接続される。【選択図】図１
0003233555.tif 000002
【実用新案登録請求の範囲】
【請求項１】
本体と、前記本体に給電するように前記本体に接続される電源線と、を備える多機能電子レンジにおいて、他の電気器具に給電できるように前記本体に設けられる少なくとも１つのソケットをさらに備え、前記ソケットは、ワイヤを介して前記電源線に接続され、前記ソケットには、前記ソケットと電源線との接続と切断を制御するスイッチが設けられ、前記ソケットは、前記本体の作動素子と並列に接続され、前記本体の天板および／または底板および／または側板および／または前板および／または後板には、前記ワイヤを収容するためのワイヤ溝が設けられ、前記ワイヤは、前記ワイヤ溝に沿って延び、前記ワイヤ溝には、本体の外側に向かう開口を有することを特徴とする多機能電子レンジ。
【請求項２】
前記ソケットは、前記本体の前板に設けられる第１ソケットを含み、前記ワイヤは、前記第１ソケットと前記電源線とを接続する第１ワイヤを含むことを特徴とする請求項１に記載の多機能電子レンジ。
【請求項３】
前記本体の前板には、並列に接続される二つの前記第１ソケットが設けられることを特徴とする請求項２に記載の多機能電子レンジ。
【請求項４】
前記ソケットは、前記本体の側板に設けられる第２ソケットを含み、前記ワイヤは、前記第２ソケットと前記電源線とを接続する第２ワイヤを含むことを特徴とする請求項２に記載の多機能電子レンジ。
【請求項５】
前記第２ソケットは、前記第１ソケットに並列に接続されることを特徴とする請求項４に記載の多機能電子レンジ。
【請求項６】
前記ソケットは、前記本体の側板に設けられる第３ソケットを含み、前記第３ソケットは、前記第１ワイヤに設けられ、前記第１ソケットに直列に接続されることを特徴とする請求項２に記載の多機能電子レンジ。
【考案の詳細な説明】
【技術分野】
【０００１】
本考案は家電製品に関し、具体的には、多機能電子レンジに関する。
【背景技術】
【０００２】
電子レンジは、食べ物の加熱、蒸し、煮や焼きなどの様々な機能を実現することができ、ほとんどの家庭の台所に不可欠な電気器具になるが、台所には、電子レンジのほか、冷蔵庫、炊飯器、豆乳機、湯沸かしポットなど常用の電気器具や調理機、ジューサーが置かれ、さらに、洗濯機も置かれる可能性がある。台所において、一般に、壁に１つまたは２つのソケットが設けられ、ソケットに近い電気器具は、容易に電源に接続することができるが、ソケットから遠い電気器具は、長い電源線を追加して電源に接続する必要があり、安全上の問題になる。また、複数の電気器具を同時に使用する必要がある場合に、ソケットが不足することもある。
【考案の概要】
【考案が解決しようとする課題】
【０００３】
本考案は、従来の台所用電気器具のソケットが足りず、かつ電源線を追加することで安全上の問題になる欠点を克服するために、ソケット付きの多機能電子レンジを提供する。
【課題を解決するための手段】
【０００４】
本考案の多機能電子レンジは、本体と、前記本体に給電するように前記本体に接続される電源線と、を備え、さらに、他の電気器具に給電できるように前記本体に設けられる少なくとも１つのソケットを備え、前記ソケットは、ワイヤを介して前記電源線に接続され、前記ソケットは、前記本体の作動素子と並列に接続される。
【０００５】
好ましくは、前記ソケットは、前記本体の前板に設けられる第１ソケットを含み、前記ワイヤは、前記第１ソケットと前記電源線とを接続する第１ワイヤを含む。
【０００６】
好ましくは、前記本体の前板には、並列に接続される二つの前記第１ソケットが設けられる。
【０００７】
好ましくは、前記ソケットは、前記本体の側板に設けられる第２ソケットを含み、前記ワイヤは、前記第２ソケットと前記電源線とを接続する第２ワイヤを含む。
【０００８】
好ましくは、前記第２ソケットは、前記第１ソケットと並列に接続される。
【０００９】
好ましくは、前記ソケットは、前記本体の側板に設けられる第３ソケットを含み、前記第３ソケットは、前記第１ワイヤに設けられ、前記第１ソケットに直列に接続される。
【００１０】
好ましくは、前記本体の天板および／または底板および／または側板および／または前板および／または後板には、前記ワイヤを収容するためのワイヤ溝が設けられ、前記ワイヤは、前記ワイヤ溝に沿って延びる。
【００１１】
好ましくは、前記ワイヤ溝には、本体の外側に向かう開口を有する。
【００１２】
好ましくは、前記ワイヤは、前記本体の内部に敷設される。
【００１３】
好ましくは、各ソケットには、いずれも前記ソケットと電源線との接続と切断を制御するスイッチが設けられる。
【考案の効果】
【００１４】
本考案の多機能電子レンジは、従来技術と比べて以下の有益な効果を有する。
【００１５】
電源線が電源に接続された場合には、他の電気器具を例えば第１ソケットと組み合わせて他の電気器具に電力を供給することができ、これによって、台所用電気器具により多くのソケットを提供することができるとともに、他の電気器具は長い電線で壁上のソケットに接続する必要がなくなり、安全性を向上させ、かつ電気器具の配置をより合理化にさせ、したがって、空間をより効率的に利用することができる。本実用新案の多機能電子レンジは、本体への給電と他の電気器具への給電が互いに独立しており、しかも給電順序の制限はない。
【図面の簡単な説明】
【００１６】
【図１】本考案の第１実施形態に係る多機能電子レンジの正面図である。
【図２】本考案の第１実施形態に係る多機能電子レンジの回路図である。
【図３】本考案の第２実施形態に係る多機能電子レンジの回路図である。
【図４】本考案の第３実施形態に係る多機能電子レンジの回路図である。
【考案を実施するための形態】
【００１７】
本考案の多機能電子レンジは、本体と、前記本体に給電するように前記本体に接続される電源線２１と、を備え、さらに、他の電気器具に給電できるように前記本体に設けられる少なくとも１つのソケットを備え、前記ソケットは、ワイヤを介して前記電源線２１に接続され、前記ソケットは、前記本体の作動素子１４と並列に接続される。本実用新案では、本体の作動素子１４は、加熱素子や食物を動かす素子などの一般の電子レンジによる一般機能を果たす素子を指す。
【００１８】
電源線２１が電源に接続された後、炊飯器や豆乳機などの他の電気器具のプラグを例えば第１ソケット３１と組み合わせて他の電気器具に電力を供給することができ、これによって、台所用電気器具により多くのソケットを提供することができる。また、他の電気器具は長い電線で壁上のソケットに接続する必要がなくなり、安全性を向上させ、かつ電気器具の配置をより合理化にさせ、したがって、空間をより効率的に利用することができる。本実用新案の多機能電子レンジは、他の電気器具に電力を供給すると同時に、その本体の前板１１におけるパネル１１１上の機能キー１１２を押して、本体の作動素子１４を作動させることができ、すなわち、本体への給電と他の電気器具への給電とは互いに独立しており、しかも給電順序の制限はない。
【００１９】
第１実施形態では、前記ソケットは、前記本体の前板１１に設けられる第１ソケット３１を含み、前記ワイヤは、前記第１ソケット３１と前記電源線２１とを接続する第１ワイヤ４１を含む。具体的には、前板１１の右上隅には、３穴の第１ソケット３１が二つ設けられ、そのうち、１つの３穴第１ソケット３１は、３穴プラグに接続されてもよいし、２穴プラグに接続されてもよい。２つの第１ソケット３１の間も並列接続の関係にある。当然ながら、２つの第１ソケット３１の間は直列接続の関係にあってもよい。
【００２０】
第２実施形態では、前記ソケットは、前記本体の側板１２に設けられる第２ソケット３２を含み、前記ワイヤは、前記第２ソケット３２と前記電源線２１とを接続する第２ワイヤ４２を含む。具体的には、本体の前板１１には、第１ソケット３１が設けられ、前記本体の側板１２には、第２ソケット３２が設けられる。多機能電子レンジの電気回路は、図３に示すように、前記第２ソケット３２が、第２ワイヤ４２を介して前記電源線２１に接続され、前記第２ソケット３２が、前記本体の作動素子１４と並列に接続される。
【００２１】
第３実施形態では、前記ソケットは、前記本体の側板１２に設けられる第３ソケット３３を含み、前記第３ソケット３３は、前記第１ワイヤ４１に設けられ、前記第１ソケット３１に直列に接続される。図４には、多機能電子レンジの電気回路を示す。
【００２２】
上記各実施形態において、本体には、ワイヤを収容するためのワイヤ溝（図示せず）が設けられ、前記ワイヤは、前記ワイヤ溝に沿って延びる。具体的には、本体の天板１３及び／又は底板及び／又は側板１２及び／又は前板１１及び／又は後板にワイヤ溝が設けられ、第１ワイヤ４１および／または第２ワイヤ４２および／または第３ワイヤは、ワイヤ溝に沿って設けられる。点検を容易にするために、ワイヤ溝には、本体の外側に向かう開口を有してもよい。電源線２１は、本体の側板１２または後板に設けられる。あるいは、本体の内部に前記ワイヤを敷設してもよい。
【００２３】
また、上記の各実施形態において、各ソケットには、いずれもソケットと電源線２１との接続と切断を制御するスイッチ（図示せず）が設けられる。したがって、給電状態にないソケットでは、スイッチをオフにすることができ、これにより、電源線２１との連通を切断して安全性をさらに向上させる。もちろん、スイッチを設けなくてもよいし、必要に応じて一部のソケットにスイッチを設けてもよい。
【００２４】
また、上記実施形態における３穴ソケットは、２穴ソケットに置き換えられてもよく、ソケットは電子レンジの電源線の設置に応じて選択され、電源線が２本のワイヤの場合、ソケットは２穴ソケットでしかなく、電源線が３本のワイヤの場合、ソケットは２穴や３穴ソケットであってもよい。
【００２５】
以上の実施形態は、本考案の例示的な実施形態にすぎず、本考案を制限するためのものではなく、本考案の保護範囲は、実用新案登録請求の範囲によって限定される。当業者は、本考案の実質及び保護範囲内で、本考案に加えた様々な修正又は均等物による置換も本考案の保護範囲に属するものとする。
【符号の説明】
【００２６】
１１  前板
１１１  パネル
１１２  機能キー
１２  側板
１３  天板
１４  作動素子
２１  電源線
３１  第１ソケット
３２  第２ソケット
３３  第３ソケット
４１  第１ワイヤ
４２  第２ワイヤ
【図１】
0003233555.tif 000003
【図２】
0003233555.tif 000004
【図３】
0003233555.tif 000005
【図４】
0003233555.tif 000006